(57)【特許請求の範囲】
【請求項１】
複数の電子部品と、前記電子部品を収容するケースと、を備える電気接続箱であって、
前記ケースは、開口部を有する２つのケース部材からなり、
前記２つのケース部材は、それぞれ前記電子部品を収容するとともに、
前記２つのケース部材の開口部は、それぞれの開口部を対向するように配しつつ、対向する前記ケース部材の開口部を覆うことで、相互に閉じられるようになっており、
前記２つのケース部材は、上下方向に配されており、上側の前記ケース部材には、下側の前記ケース部材に収容された前記電子部品よりも大きく、リレーを含む前記電子部品が収容され、上側の前記ケース部材からワイヤーハーネスが導出されているとともに、下側の前記ケース部材にヒューズを含む電子部品が収容され、下側の前記ケース部材からワイヤーハーネスが導出されている電気接続箱。
【請求項２】
前記ケース部材の開口部は、一方の前記ケース部材を他方の前記ケース部材に対してスライド移動させることにより開閉可能である請求項１に記載の電気接続箱。
【請求項３】
前記ケース部材の開口部は、一方の前記ケース部材を他方の前記ケース部材に取り付けた状態で開閉可能である請求項１又は請求項２に記載の電気接続箱。
【発明の詳細な説明】
【技術分野】
【０００１】
本発明は、電気接続箱に関する。
【背景技術】
【０００２】
電源装置から、車両に搭載される各種機器に電気を分配するための電気接続箱としては、例えば特許文献１に記載の電気接続箱等が知られている。
特許文献１に記載の電気接続箱は、電子部品と、開口部を有し内部に電子部品を収容可能な収容ケースと、収容ケースの開口部を覆う蓋と、を備える。
【先行技術文献】
【特許文献】
【０００３】
【特許文献１】特開２０１１−１５４６７号公報
【発明の概要】
【発明が解決しようとする課題】
【０００４】
電気接続箱に収容されている電子部品等の点検や交換の際には、電子部品等が収容されている収容ケースの開口部を閉じている蓋が外される。一般的な電気接続箱において、収容ケースの開口部を閉じる蓋は、収容ケース等の他の部品とは別体であり、車両に搭載される各種機器への通電に寄与する部品は収容されていない。そのため、蓋を収容ケースの開口部から取り外したときに紛失したり、電子部品等の点検・交換作業の後に、蓋により収容ケースの開口部を閉じる作業を忘れることがあった。
【０００５】
電気接続箱は車両のエンジンルーム内に搭載されている場合があるが、このような場合に収容ケースの開口部を閉じ忘れて、エンジンルーム内に高圧の水を噴射する高圧洗浄を施すと、高圧の水が、開口部から収容ケース内に浸入して、回路間の短絡や電線の腐食等の問題が発生することがある。
【０００６】
本発明は上記のような事情に基づいて完成されたものであって、水の浸入を防止した電気接続箱を提供することを目的とする。
【課題を解決するための手段】
【０００７】
本発明は、複数の電子部品と、前記電子部品を収容するケースと、を備える電気接続箱であって、前記ケースは、開口部を有する２つのケース部材からなり、前記２つのケース部材は、それぞれ前記電子部品を収容するとともに、前記２つのケース部材の開口部は、それぞれの開口部を対向するように配しつつ、対向する前記ケース部材の開口部を覆うことで、相互に閉じられるようになっており、前記２つのケース部材は、上下方向に配されており、上側の前記ケース部材には、下側の前記ケース部材に収容された前記電子部品よりも大きく、リレーを含む前記電子部品が収容され、上側の前記ケース部材からワイヤーハーネスが導出されているとともに、下側の前記ケース部材にヒューズを含む電子部品が収容され、下側の前記ケース部材からワイヤーハーネスが導出されている電気接続箱である。
【０００８】
本発明において、ケース部材の開口部が閉じている状態では、２つのケース部材は互いに相手方の開口部を覆うように配されているので、ケースに収容されている電子部品の点検・交換等の作業を行う際には、少なくとも一方のケース部材を移動させて開口部を開放状態とする。ここで、本発明においては、ケースを構成する２つのケース部材には、それぞれ電子部品が収容されているので、一方のケース部材が欠けてしまうだけでも電装品への通電に支障が生じる可能性がある。そのため、電子部品の点検・交換等の作業の際に、移動させたケース部材を、別の場所に放置したり紛失するという事態は生じにくい。
【０００９】
また、上述したように、本発明においては、ケース部材の開口部を開放状態とする際に少なくとも一方のケース部材を、開口部が閉じられた状態のときとは相違する位置に移動させる必要があるため、ケース部材を所定位置から移動させたまま（開口部を開放状態のまま）放置すると、他の作業の妨げとなる可能性がある。そのため、本発明においては、ケース部材の開口部を開放して点検作業等を行った後に、ケース部材の開口部を閉じる作業を忘れるという事態が生じにくい。
その結果、本発明によれば、各ケース部材の開口部の閉じ忘れを防止することができるので、水の浸入を防止した電気接続箱を提供することができる。また本発明によれば、閉じ忘れを感知するセンサー等を必要としないので低コストであるとともにメンテナンスが簡単である。
また、上側に配されているケース部材の開口部が下方を向いた状態となる。したがって、上記構成によれば、水の浸入しやすい電子部品や、水の浸入によりダメージを受けやすい電子部品を上側に配されているケース部材に収容することができるので、水の浸入による悪影響を低く抑えることができる。
【００１０】
本発明は以下の構成としてもよい。
【００１２】
前記２つのケース部材の開口部は、一方の前記ケース部材を他方の前記ケース部材に対してスライド移動させることにより開閉可能であってもよい。
このような構成とすると、一方のケース部材を他方のケース部材に対しスライド移動させることで開口部の開閉が可能となるので、作業効率に優れる。
【００１３】
前記ケース部材の開口部は、一方の前記ケース部材を他方の前記ケース部材に取り付けた状態で開閉可能であってもよい。
このような構成とすると、ケース部材の開口部を開閉した際にケース部材を紛失するという問題が生じ難くなる。
【発明の効果】
【００１４】
本発明によれば、水の浸入を防止した電気接続箱を提供することができる。
【図面の簡単な説明】
【００１５】
【図１】実施形態１の電気接続箱を模式的に示した模式図
【図２】参考例の電気接続箱を模式的に示した模式図
【図３】ケース部材の開口部を開放状態としたときの電気接続箱の模式図
【発明を実施するための形態】
【００１６】
＜実施形態１＞
本発明に係る実施形態１の電気接続箱１０を図１によって説明する。以下の説明において、上下方向については図１を基準とする。
本実施形態の電気接続箱１０は、例えば車両のエンジンルーム等に配置され、バッテリーや発電機等の電源（図示せず）と、ランプ、モータ等の車両に搭載される電装品（図示せず）との間に配設され、電装品に対する給電（電力の通電及び断電）を制御するものである。
【００１７】
電気接続箱１０は、複数の電子部品１４と、複数の電子部品１４を収容するケース１１と、を備える。図１においては、ケース１１内における電子部品１４の配置が分かるように示されているが、図１に示す状態はケース部材１２Ａ，１２Ｂの開口部１３Ａ，１３Ｂが閉じられている状態である。ケース１１内には電子部品１４以外にバスバー１５等の導電部材等も収容されている。
【００１８】
ケース１１は、上下に配された２つのケース部材１２からなる。本実施形態において上側に配されるケース部材１２Ａを上側ケース部材１２Ａとし、下側に配されるケース部材１２Ｂを下側ケース部材１２Ｂとする。上側ケース部材１２Ａと下側ケース部材１２Ｂとは、詳細は図示しないが、開口部１３Ａ，１３Ｂを閉じた状態で、相互に係止され、一体となっている。
【００１９】
上側ケース部材１２Ａは下端部に開口部１３Ａを有しており、下側ケース部材１２Ｂは上端部に開口部１３Ｂを有している。上側ケース部材１２Ａの開口部１３Ａと下側ケース部材１２Ｂの開口部１３Ａとは対向する位置に配されている。また、上側ケース部材１２Ａは、下側ケース部材１２Ｂの開口部１３Ｂの全域を覆うように被せ付けられており、下側ケース部材１２Ｂは上側ケース部材１２Ａの開口部１３Ａの全域を覆うように被せ付けられている。つまり、本実施形態では、上側ケース部材１２Ａの開口部１３Ａおよび下側ケース部材１２Ａの開口部１３Ｂは、各開口部１３Ａ，１３Ｂを対向する位置に配しつつ、対向するケース部材１２の開口部１３Ａ，１３Ｂの全域を覆うことで、相互に閉じられるようになっている。
【００２０】
上側ケース部材１２Ａの上壁面からは、図１に示すように、電気接続箱１０と電源との間を接続するワイヤーハーネスＷおよび電気接続箱１０と電装品との間を接続するワイヤーハーネスＷが導出されている。
【００２１】
下側ケース部材１２Ｂの下壁面からは、図１に示すように、電気接続箱１０と電源との間を接続するワイヤーハーネスＷおよび電気接続箱１０と電装品との間を接続するワイヤーハーネスＷが導出されている。
【００２２】
上側ケース部材１２Ａおよび下側ケース部材１２Ｂには、それぞれ、電子部品１４が収容されている。上側ケース部材１２Ａには、リレー１４Ａ、インテグレーテッドヒュージブルリンク１４Ｂ（Ｉ−ＦＬ１４Ｂ）等が収容されており、下側ケース部材１２Ｂにはヒューズ１４Ｃ等が収容されている。各ケース部材１２Ａ，１２Ｂに収容されている電子部品１４に接続されている電線１６は、複数本が一括されている。
【００２３】
ケース１１内に収容されている電子部品１４のうち、リレー１４ＡやＩ−ＦＬ１４Ｂ等の電子部品１４は、ヒューズ１４Ｃ等の電子部品１４と比較すると大きい部品を備えているため、水が浸入しやすいが、本実施形態では、水が浸入しやすい部品を有するリレー１４ＡやＩ−ＦＬ１４Ｂ等の電子部品１４を、上側ケース部材１２Ａ内に配置している。これにより、ケース１１内に水が浸入することによる悪影響を低く抑えることができるようになっている。
【００２４】
本実施形態の電気接続箱１０において、電子部品１４の点検・交換作業を行う際には、上側ケース部材１２Ａと下側ケース部材１２Ｂとの係止状態を解除して、上側ケース部材１２Ａを下側ケース部材１２Ｂから取り外す。すると、各ケース部材１２Ａ，１２Ｂに収容された電子部品１４の点検・交換が可能となる。
【００２５】
電子部品１４の点検・交換等の作業が終了した後、上側ケース部材１２Ａの開口部１３Ａを、下側ケース部材１２Ｂの開口部１３Ｂと対向する位置に配して、上側ケース部材１２Ａを、下側ケース部材１２Ｂの開口部１３Ｂの全域を覆うように被せ付けると、２つのケース部材１２Ａ，１２Ｂの開口部１３Ａ，１３Ｂが相互に閉じられた状態となる。
【００２６】
次に、本実施形態の作用・効果について説明する。
本実施形態において、ケース部材１２の開口部１３Ａ，１３Ｂが閉じている状態では２つのケース部材１２Ａ，１２Ｂが互いに相手方の開口部１３Ｂ，１３Ａを覆うように配されている。したがって、ケース１１内に収容されている電子部品１４の点検・交換等の作業を行う際には、２つのケース部材１２Ａ，１２Ｂのうち、少なくとも一方を取り外して（移動させて）ケース部材１２Ａ，１２Ｂの開口部１３Ａ，１３Ｂを開放状態とする。ここで、本実施形態においては、ケース１１を構成する２つのケース部材１２Ａ，１２Ｂには、それぞれ電子部品１４が収容されているので、一方のケース部材１２が欠けてしまうだけでも電装品への通電に支障が生じる可能性がある。そのため、電子部品１４の点検・交換等の作業の際に取り外したケース部材１２を、作業後も、取り付けずに放置したり、紛失するという事態は生じにくい。
【００２７】
また、電子部品１３の点検交換等の作業後も、上側ケース部材１２Ａを、下側ケース部材１２Ｂに取り付けずに、別の場所においたまま放置すると、上側ケース部材１２Ａが他の作業の妨げとなる可能性がある。そのため、本実施形態においては、ケース部材１２Ａ，１２Ｂの開口部１３Ａ，１３Ｂを開放して点検作業等を行った後に、ケース部材１２Ａ，１２Ｂの開口部１３Ａ，１３Ｂを閉じる作業を忘れるという事態が生じにくい。
【００２８】
したがって、本実施形態によれば、各ケース部材１２Ａ，１２Ｂの開口部１３Ａ，１３Ｂの閉じ忘れを防止することができるので、水の浸入を防止した電気接続箱１０を提供することができる。また本実施形態によれば、閉じ忘れを感知するセンサー等を必要としないので低コストであるとともにメンテナンスが簡単である。
【００２９】
また、本実施形態によれば、２つのケース部材１２Ａ，１２Ｂが、上下方向に配されているから、上側ケース部材１２Ａが下側ケース部材１２Ｂに取り付けられている状態では、上側ケース部材１２Ａの開口部１３Ａが下方を向いており、上側ケース部材１２Ａ内に水が浸入しにくくなっている。
【００３０】
特に、本実施形態によれば、水の浸入しやすい電子部品１４が上側ケース部材１２Ａに収容されているから、水の浸入による悪影響を低く抑えることができるという効果も得られる。
【００３１】
＜参考例＞
次に、参考例の電気接続箱３０を図２および図３によって説明する。以下の説明において、上下方向については図２および図３を基準とする。
本参考例は、２つのケース部材３２が並列配置されているという点で実施形態１と相違する。実施形態１と同様の構成については同一の符号を付し、重複した説明を省略する。
【００３２】
図２においては、ケース３１内における電子部品１４の配置が分かるように示しているが、図２に示す状態はケース部材３２Ａ，３２Ｂの開口部３３Ａ，３３Ｂが閉じられている状態である。
【００３３】
２つのケース部材３２は図２に示すように、図示左右に並列配置されている。以下の説明において、２つのケース部材３２のうち、左側のケース部材を第１ケース部材３２Ａとし、右側のケース部材を第２ケース部材３２Ｂとする。
【００３４】
第１ケース部材３２Ａは右端部に開口部３３Ａを有しており、第２ケース部材３２Ｂは左端部に開口部３３Ｂを有している。第１ケース部材３２Ａの開口部３３Ａと第２ケース部材３２Ｂの開口部３３Ｂは対向する位置に配されている。また、第１ケース部材３２Ａは、第２ケース部材３２Ｂの開口部３３Ｂの全域を覆うように被せ付けられており、第２ケース部材３２Ｂは、第１ケース部材３２Ａの開口部３３Ａの全域を覆うように被せ付けられている。つまり、本参考例では、第１ケース部材３２Ａの開口部３３Ａおよび第２ケース部材３２Ｂの開口部３３Ｂは各開口部３３Ａ，３３Ｂを対向する位置に配しつつ、対向するケース部材３２の開口部３３Ａ，３３Ｂの全域を覆うことで、相互に閉じられるようになっている。
【００３５】
第１ケース部材３２Ａの図示左下の壁面からは、図２に示すように、電気接続箱３０と電源との間を接続するワイヤーハーネスＷおよび電気接続箱３０と電装品との間を接続するワイヤーハーネスＷが導出されている。
【００３６】
第２ケース部材３２Ｂの図示右下の壁面からは、図２に示すように、電気接続箱３０と電源との間を接続するワイヤーハーネスＷおよび電気接続箱３０と電装品との間を接続するワイヤーハーネスＷが導出されている。
【００３７】
第１ケース部材３２Ａおよび第２ケース部材３２Ｂには、それぞれ、電子部品１４が収容されている。第１ケース部材３２Ａには、リレー１４Ａ、インテグレーテッドヒュージブルリンク１４Ｂ（Ｉ−ＦＬ１４Ｂ）等が収容されており、第２ケース部材３２Ｂにはヒューズ１４Ｃ等が収容されている。各ケース部材３２Ａ，３２Ｂに収容されている電子部品１４に接続されている電線１６は、複数本が一括されている。
【００３８】
本参考例では、２つのケース部材３２Ａ，３２Ｂの開口部３３Ａ，３３Ｂの周縁には、詳細は図示しないが、一方のケース部材３２を他方のケース部材３２に対して上下方向にスライド移動可能な構造（溝部または突部など）が設けられている。
【００３９】
本参考例の電気接続箱３０において、電子部品１４の点検交換作業を行う際には、第２ケース部材３２Ｂを上方にスライド移動させる。第１ケース部材３２Ａの開口部３３Ａおよび第２ケース部材３２Ｂの開口部３３Ｂをそれぞれ開放した状態（図３の状態）とすると、ケース３１に収容された電子部品１４の点検・交換等の作業が可能となる。このとき第２ケース部材３２Ｂは、図３に示すように、その一部が第１ケース部材３２Ａに取り付けられている。なお、図３においては、電子部品１４の図示を省略しているが、各ケース部材３２Ａ，３２Ｂ内には電子部品１４が収容されている。
【００４０】
電子部品１４の点検・交換等の作業が終了した後に、第２ケース部材３２Ｂを下方への移動が規制される位置までスライド移動させると、第２ケース部材３２Ｂの開口部３３Ｂの全域が第１ケース部材３２Ａにより覆われて、第１ケース部材３２Ａの開口部３３Ａと第２ケース部材３２Ｂの開口部３３Ｂを対向する位置に配され、２つのケース部材３２Ａ，３２Ｂの開口部３３Ａ，３３Ｂが相互に閉じられた状態となる。
【００４１】
次に、本参考例の作用・効果について説明する。
本参考例においては、電気接続箱３０のケース３１内に収容される電子部品１４の点検・交換等の作業を行う際には、２つのケース部材３２Ａ，３２Ｂのうち、第２ケース部材３２Ｂを上方にスライド移動させて各ケース部材３２Ａ，３２Ｂの開口部３３Ａ，３３Ｂを開放状態とする。ここで、本参考例においては、ケース３１を構成する２つのケース部材３２Ａ，３２Ｂには、それぞれ電子部品１４が収容されているので、一方のケース部材３２が欠けてしまうだけでも電装品への通電に支障が生じる可能性がある。そのため、一方のケース部材３２を別の場所に放置したり紛失したりするという事態は生じにくい。
【００４２】
特に、本参考例によれば、ケース部材３２の開口部３３Ａ，３３Ｂは、一方のケース部材３２Ａを他方のケース部材３２Ｂに取り付けた状態で開閉可能であるから、ケース部材３２の開口部３３Ａ，３３Ｂを開閉した際に一方のケース部材３２を紛失するという事態はほとんど生じない。
【００４３】
また、本参考例においては、２つのケース部材３２Ａ，３２Ｂの開口部３３Ａ，３３Ｂを開放状態としたときに、第２ケース部材３２Ｂが、開口部３３Ｂが閉じた状態のときよりも上方に配されるので、各ケース部材３２Ａ，３２Ｂの開口部３３Ａ，３３Ｂを開放状態のままにすると、他の作業の邪魔になり、開口部３３Ａ，３３Ｂを閉じる作業を忘れるという事態は生じにくい。
【００４４】
したがって、本参考例によっても、各ケース部材３２Ａ，３２Ｂの開口部３３Ａ，３３Ｂの閉じ忘れを防止することができるので、水の浸入を防止した電気接続箱３０を提供することができる。また本参考例によっても、閉じ忘れを感知するセンサー等を必要としないので低コストであるとともにメンテナンスが簡単である。
【００４５】
加えて、本参考例によれば、２つのケース部材３２Ａ，３２Ｂが、並列配置されているから、２つのケース部材３２Ａ，３２Ｂを上下方向に配するよりも、電気接続箱３０の高さ寸法を小さくすることができる。
【００４６】
さらに、本参考例によれば、２つのケース部材３２Ａ，３２Ｂの開口部３３Ａ，３３Ｂは、第２ケース部材３２Ｂを第１ケース部材３２Ａに対してスライド移動させることにより開閉可能であるから、作業効率に優れる。
【００４７】
＜他の実施形態＞
本発明は上記記述及び図面によって説明した実施形態に限定されるものではなく、例えば次のような実施形態も本発明の技術的範囲に含まれる。
（１）上記実施形態１では、上方ケース部材１２Ａを下方ケース部材１２Ｂから取り外して各ケース部材１２Ａ，１２Ｂの開口部１３Ａ，１３Ｂを開放状態にする例を示したが、２つのケース部材を上下方向に配したものにおいて、スライド移動により各ケース部材の開口部を開閉可能な構成としてもよい。
（２）上記参考例では、２つのケース部材３２Ａ，３２Ｂを並列配置したものにおいて、一方のケース部材３２Ｂ（第２ケース部材３２Ｂ）を他方のケース部材３２Ａ（第１ケース部材３２Ａ）に対してスライド移動させることで、各ケース部材３２Ａ，３２Ｂの開口部３３Ａ，３３Ｂを開閉可能な構成のものを示したが、２つのケース部材を並列配置したものにおいて、参考例として、一方のケース部材を他方のケース部材から取り外すことにより各ケース部材の開口部を開閉可能としてもよい。
（３）上記実施形態及び参考例では、一方のケース部材１２に収容されている電子部品１４は、他方のケース部材１２に収容されている電子部品１４と電気的に接続されていない構成のものを示したが、一方のケース部材に収容されている電子部品と、他方のケース部材に収容されている電子部品が例えば、導電性材料からなる接続ピンを介して電気的に接続されているような構成であってもよい。このような構成とすると一方のケース部材を他方のケース部材に取り付けないと電気的に接続されないため、開口部の閉じ忘れを確実に防止することが可能となる。
（４）上記実施形態及び参考例では、電子部品１４としてリレー１４Ａ、Ｉ−ＦＬ１４Ｂ、ヒューズ１４Ｃを例示したが、これら以外の電子部品を備えていてもよい。
【符号の説明】
【００４８】
１０，３０…電気接続箱
１１，３１…ケース
１２，３２…ケース部材
１２Ａ…上側ケース部材
１２Ｂ…下側ケース部材
１３Ａ…上側ケース部材の開口部
１３Ｂ…下側ケース部材の開口部
１４…電子部品
１４Ａ…リレー
１４Ｂ…インテグレーテッドヒュージブルリンク
１４Ｃ…ヒューズ
３２Ａ…第１ケース部材
３２Ｂ…第２ケース部材
３３Ａ…第１ケース部材の開口部
３３Ｂ…第２ケース部材の開口部
Ｗ…ワイヤーハーネス
【図１】
0005899948.tif 000002
【図２】
0005899948.tif 000003
【図３】
0005899948.tif 000004